(57)【要約】      （修正有）【課題】機能性を維持しつつ、細かなカスタマイズを行うことができる鞄セットを提供する。【解決手段】鞄セットは、一端に連結部２ａを有するベルト２と、連結部２ａと連結する連結部３ｅを有するバックルと、ベルト２が巻き付けられるスーツケースと、を備える。連結部２ａは凹部Ｓを有しており、連結部３ｅは凸部Ｔを有している。そして、連結部２ａと連結部３ｅとは凹部Ｓと凸部Ｔとが篏合することにより着脱可能となる。バックルは、本体部３ａ、係止リング３ｂ、係止突起３ｃ、ベルト通し部３ｄ、及び連結部３ｅを備えている。係止リング３ｂは、ベルト２の一端を挿通させる。次に、係止突起３ｃがベルト２のいずれかの調整孔に挿入し、ベルト２の一端をベルト通し部３ｄに挿通させる。これにより、ベルト２のスーツケースに対する締め付け強度が調整される。【選択図】図５
0003201326.tif 000002
【実用新案登録請求の範囲】
【請求項１】
一端に第１連結部を有するベルトと、
前記第１連結部と連結する第２連結部を有するバックルと、
前記ベルトが巻き付けられる鞄と、を備え、
前記第１連結部と前記第２連結部とが着脱可能であることを特徴とする、
鞄セット。
【請求項２】
前記バックルは、前記鞄に対する前記ベルトの締め付け強度を調整するための係止部を備えることを特徴とする、請求項１に記載の鞄セット。
【請求項３】
前記第１連結部又は前記第２連結部のいずれか一方が凸部を有し、他方が凹部を有し、
前記第１連結部と前記第２連結部とは、前記凸部と前記凹部とが篏合することにより着脱可能とすることを特徴とする、
請求項１又は２に記載の鞄セット。
【考案の詳細な説明】
【技術分野】
【０００１】
本考案は、ベルト付きの鞄についての鞄セットに関するものである。なお、ここではスーツケースを鞄の例として説明する。
【背景技術】
【０００２】
従来、スーツケースには、持ち歩く際に不用意にスーツケースが開いてしまい中身が落下しないように、その外周にスーツケースベルトが装着されたものが提案されている。
【先行技術文献】
【特許文献】
【０００３】
【特許文献１】特開平１１−１０３９２６号公報
【考案の概要】
【考案が解決しようとする課題】
【０００４】
しかし、近年、スーツケースもファッション性を兼ね備えたものが人気となっており、消費者も機能性だけでなく自分の好みに合ったデザインのスーツケースを選ぶようになった。さらに、消費者はスーツケース本体だけでなく、スーツケースに装着される各パーツのデザインまで拘るようにもなった。
【０００５】
ところが、特許文献１に開示されているスーツケースベルトでは、ベルト自体の取り外しはできても、ディテールまで拘った消費者の好みに応じたカスタマイズを行うことは難しい。
【０００６】
そこで、本考案は、機能性を維持しつつ、細かなカスタマイズを行うことができる鞄セットを提供することを目的とする。
【課題を解決するための手段】
【０００７】
本考案の鞄セットは、前記課題を解決するために以下の構成を備えている。
(１) 一端に第１連結部を有するベルトと、
第１連結部と連結する第２連結部を有するバックルと、
ベルトが巻き付けられる鞄と、を備え、
第１連結部と第２連結部とが着脱可能であることを特徴とする、
鞄セット。
【０００８】
この構成では、ベルトとバックルとを分離させることができるため、ベルトまたはバックルを好みに応じて取り替えることができる。また、鞄に巻き付けられるベルトとバックルとが連結することにより、鞄の開閉を抑止することができる。
【０００９】
したがって、本考案の鞄セットによれば、機能性を維持しつつ、使用者の細かなカスタマイズにも対応できる鞄セットを提供することができる。
【００１０】
(２) バックルは、鞄に対するベルトの締め付け強度を調整するための係止部を備えることを特徴とする、上記（１）に記載の鞄セット。
【００１１】
この構成では、係止部によって、鞄の大きさや内容物の量に応じてベルトの締め付け強度を調整することができる。
【００１２】
したがって、本考案の鞄セットによれば、機能性を向上させつつ、使用者の細かなカスタマイズにも対応できる鞄セットを提供することができる。
【００１３】
（３）第１連結部又は第２連結部のいずれか一方が凸部を有し、他方が凹部を有し、
第１連結部と第２連結部とは、凸部と凹部とが篏合することにより着脱可能とすることを特徴とする、
上記（１）又は上記（２）に記載の鞄セット。
【００１４】
この構成では、第１連結部と第２連結部とが凸部と凹部との篏合により着脱するため、ベルトとバックルとの分離が容易である。
【００１５】
したがって、本考案の鞄セットによれば、機能性を維持しつつ、使用者が簡単に細かなカスタマイズをすることができる鞄セットを提供することができる。
【考案の効果】
【００１６】
本考案は、機能性を維持しつつ、細かなカスタマイズを行うことができる鞄セットを提供することができる。
【図面の簡単な説明】
【００１７】
【図１】本考案の実施形態に係る鞄セット１００の全体斜視図である。
【図２】本考案の実施形態に係るベルト２の一例を示す図である。
【図３】本考案の実施形態に係るバックル３の拡大図である。
【図４】本考案の実施形態に係るバックル３の拡大図である。
【図５】本考案の実施形態に係るベルト２とバックル３との着脱模様の一例を示す図である。
【考案を実施するための形態】
【００１８】
以下、本考案の実施形態に係る鞄セット１００について説明する。
【００１９】
図１は、本考案の実施形態に係る鞄セット１００の全体斜視図である。図２は、本考案の実施形態に係るベルト２の一例を示す図である。図３は、本考案の実施形態に係るバックル３の拡大図である。図４は、本考案の実施形態に係るバックル３の拡大図である。図５は、本考案の実施形態に係るベルト２とバックル３との着脱模様の一例を示す図である。
【００２０】
鞄セット１００は、スーツケース１、ベルト２、及びバックル３を備えている。
【００２１】
スーツケース１は、前胴１ａと後胴１ｂとから構成されており、後胴１ｂには取っ手１ｃが取り付けられている。スーツケース１にはベルト２が巻き付けられており、前胴１ａと後胴１ｂとが開かないように締め付けられている。
【００２２】
ベルト２は、図２に示すように、革や布などの材料で帯状に形成されており、一端に連結部２ａを備えている。なお、連結部２ａは本考案の第１連結部に相当する。
また、連結部２ａは円形の凹部Ｓを有しており、一方でバックル３の連結部３ｅ（図３参照）は円形の凸部Ｔを有している。そして、連結部２ａと連結部３ｅとは凹部Ｓと凸部Ｔとが篏合することにより着脱可能となる。
【００２３】
なお、連結部２ａ及び連結部３ｅを例えば磁石で構成し、互いに磁力により引きつけ合いさせながら篏合させ連結するようにしてもよい。
【００２４】
また、ベルト２には、連結部２ａが備えられている一端とは別の一端に、スーツケース１の締め付けを調整するための調整孔２ｂが複数設けられている。
【００２５】
バックル３は、図３に示すように、本体部３ａ、係止リング３ｂ、係止突起３ｃ、ベルト通し部３ｄ、及び連結部３ｅを備えている。なお、連結部３ｅは本考案の第２連結部に相当する。また、係止リング３ｂ、係止突起３ｃ、及びベルト通し部３ｄは本考案の係止部に相当する。
【００２６】
本体部３ａは、例えばベルト２のデザインに合わせてベルト２と同じ素材である革や布などから構成されている。なお、ベルト２のデザインとの組合せを考慮して、ベルト２とは別の素材や色合いにしてもよい。
【００２７】
係止リング３ｂは、ベルト２の一端をＸ方向に挿通させる。次に、係止突起３ｃがベルト２のいずれかの調整孔２ｂに挿入し、ベルト２の一端をベルト通し部３ｄに挿通させる。これにより、ベルト２のスーツケース１に対する締め付け強度が調整される。つまり、係止リング３ｂ、係止突起３ｃ、及びベルト通し部３ｄは、スーツケース１に対するベルト２の締め付け強度を調整するための部材である。
【００２８】
図４に示すように、連結部３ｅは、本体部３ａの裏側に前述のとおり円形の凸部Ｔを有している。このような構成により、図５の（ａ）と（ｂ）に示すように、連結部２ａと連結部３ａとが凹部Ｓと凸部Ｔとが篏合することにより着脱可能となる。
【００２９】
なお、本実施形態では、連結部２ａが凹部Ｓを有し、連結部３ａが凸部Ｔを有するように構成したが、連結部２ａ又は連結部３ａのいずれか一方が凸部Ｔを有し、他方が凹部Ｓを有するよう構成してもよい。また、凹部Ｓ及び凸部Ｔの形状は円形に限られない。
【００３０】
このような構成により、本実施形態に係る考案では、ベルト２とバックル３とを分離することができるため、スーツケース１の使用者はベルトまたはバックルを好みに応じて取り替えることができる。例えば、スーツケース１の使用者は、現状のバックル３をベルト２から取り外し、自分の好みの色のバックル３へと取り替えることができる。つまり、本実施形態に係る考案は、使用者の細かなカスタマイズに対応することができる。
【００３１】
また、バックル３でベルト２のスーツケース１に対する締め付け強度を調整しつつ、ベルト２の連結部２ａとバックル３の連結部３ｅとを連結させることにより、スーツケース１の前胴１ａと後胴１ｂとが固定され、スーツケース１の開閉を抑止することができる。
【００３２】
さらに、連結部２ａと連結部３ａとが凹部Ｓと凸部Ｔとの篏合により着脱するため、ベルト２とバックル３との分離が容易である。これにより、スーツケース１の使用者は、簡単に好みのバックルまたはベルトの取り替えを行うことができる。
【００３３】
なお、本実施形態では、鞄セット１００の一部を構成する鞄としてスーツケース１を例に説明したが、鞄の種類、大きさ、形状等はこれに限られない。
【００３４】
最後に、前記実施形態の説明は、すべての点で例示であって、制限的なものではないと考えられるべきである。本考案の範囲は、上述の実施形態ではなく、実用新案登録請求の範囲によって示される。さらに、本考案の範囲には、実用新案登録請求の範囲と均等の意味および範囲内でのすべての変更が含まれることが意図される。
【符号の説明】
【００３５】
１      スーツケース
１ａ    前胴
１ｂ    後胴
１ｃ    取っ手
２      ベルト
２ａ    連結部
２ｂ    調整孔
３     バックル
３ａ   本体部
３ｂ   係止リング
３ｃ   係止突起
３ｄ   ベルト通し部
３ｅ   連結部
Ｓ     凹部
Ｔ     凸部
【図１】
0003201326.tif 000003
【図２】
0003201326.tif 000004
【図３】
0003201326.tif 000005
【図４】
0003201326.tif 000006
【図５】
0003201326.tif 000007